(57)【要約】【課題】ローカルサーバに障害が発生した場合であっても情報の記録を継続することが可能な監視システムを実現する。【解決手段】監視区域を監視する監視システムにおいて、監視区域内に設けられたＷｅｂサーバ機能を有する複数の機器と、監視区域内に設けられた記憶装置と、監視区域内に設けられ機器のＷｅｂサーバにアクセスして情報を取得すると共に情報を記憶装置に記録するＷｅｂサーバ機能を有するローカルサーバと、監視室に設けられローカルサーバのＷｅｂサーバに汎用ブラウザを用いてアクセスして情報若しくは記憶装置に記録された情報を取得する監視端末と、ローカルサーバの動作状況を確認して障害が発生していると判断した場合にはローカルサーバの記録処理の代行を行うＷｅｂサーバ機能を有する記録代行装置と、この記録代行装置に接続された第２の記憶装置とを設ける。【選択図】                    図１
2004312212.tif 000002
【特許請求の範囲】
【請求項１】
監視区域を監視する監視システムにおいて、
前記監視区域内に設けられたＷｅｂサーバ機能を有する複数の機器と、
前記監視区域内に設けられた記憶装置と、
前記監視区域内に設けられ前記機器のＷｅｂサーバにアクセスして情報を取得すると共に前記情報を前記記憶装置に記録するＷｅｂサーバ機能を有するローカルサーバと、
監視室に設けられ前記ローカルサーバのＷｅｂサーバに汎用ブラウザを用いてアクセスして前記情報若しくは前記記憶装置に記録された情報を取得する監視端末と、
前記ローカルサーバの動作状況を確認して障害が発生していると判断した場合には前記ローカルサーバの記録処理の代行を行うＷｅｂサーバ機能を有する記録代行装置と、
この記録代行装置に接続された第２の記憶装置と
を備えたことを特徴とする監視システム。
【請求項２】
監視区域を監視する監視システムにおいて、
前記監視区域内に設けられた固有のネットワークプロトコルで情報の交換を行う複数の機器と、
前記監視区域内に設けられた記憶装置と、
前記監視区域内に設けられ前記機器に前記ネットワークプロトコルでアクセスして情報を取得すると共に前記情報を前記記憶装置に記録するＷｅｂサーバ機能を有するローカルサーバと、
監視室に設けられ前記ローカルサーバのＷｅｂサーバに汎用ブラウザを用いてアクセスして前記情報若しくは前記記憶装置に記録された情報を取得する監視端末と、
前記ローカルサーバの動作状況を確認して障害が発生していると判断した場合には前記ローカルサーバの記録処理の代行を行うＷｅｂサーバ機能を有する記録代行装置と、
この記録代行装置に接続された第２の記憶装置と
を備えたことを特徴とする監視システム。
【請求項３】
前記記録代行装置が、
前記ローカルサーバや前記監視端末の間で通信を行う通信手段と、
前記ローカルサーバ及び前記記憶装置の動作を監視する動作監視手段と、
この動作監視手段の制御に基づき前記機器から情報を収集して前記第２の記憶装置に記録する情報収集手段と、
前記監視端末からの要求に基づき記録されている情報を配信するＷｅｂサーバ機能を有する情報配信手段とから構成されたことを特徴とする
請求項１若しくは請求項２記載の監視システム。
【請求項４】
前記記録代行装置若しくは前記動作監視手段が、
前記ローカルサーバの記録処理の代行の履歴を動作履歴として記録することを特徴とする
請求項１乃至請求項３のいずれかに記載の監視システム。
【請求項５】
前記記録代行装置が、
前記ローカルサーバに障害が発生したと判断した場合に前記ローカルサーバが集中管理する複数の前記機器の全ての情報の記録処理を代行することを特徴とする
請求項１乃至請求項３のいずれかに記載の監視システム。
【請求項６】
前記記録代行装置が、
前記ローカルサーバに障害が発生したと判断した場合に前記ローカルサーバが集中管理する複数の前記機器の内特定の機器の情報の記録処理を代行することを特徴とする
請求項１乃至請求項３のいずれかに記載の監視システム。
【請求項７】
前記記録代行装置が、
立ち上げ時に前記ローカルサーバに問い合わせて前記機器の詳細設定情報を取得することを特徴とする
請求項１乃至請求項３のいずれかに記載の監視システム。
【請求項８】
前記記録代行装置が、
定周期で前記ローカルサーバに問い合わせて前記機器の詳細設定情報を更新することを特徴とする
請求項１乃至請求項３のいずれかに記載の監視システム。
【請求項９】
前記記録代行装置が、
前記ローカルサーバと同じ周期で前記機器から情報を収集することを特徴とする
請求項１乃至請求項３のいずれかに記載の監視システム。
【請求項１０】
前記記録代行装置が、
前記ローカルサーバよりも遅い周期で前記機器から情報を収集することを特徴とする
請求項１乃至請求項３のいずれかに記載の監視システム。
【請求項１１】
前記監視端末が、
情報の要求を行う際に前記動作履歴を参照して、前期監視端末が必要とする情報が前記記録代行装置により前記ローカルサーバの記録処理を代行されたものであれば、前記記録代行装置に情報の要求を行うことを特徴とする
請求項４記載の監視システム
【請求項１２】
前記動作監視手段を前記記録代行装置から独立させ、前記動作監視手段が複数の記録代行装置を制御することを特徴とする
請求項３記載の監視システム
【請求項１３】
前記ローカルサーバに前記記録代行装置の機能を持たせて２台のローカルサーバ間で相互監視をさせることを特徴とする
請求項１若しくは請求項２記載の監視システム
【請求項１４】
前記ローカルサーバに管理されている監視区域を複数個することを特徴とする
請求項１若しくは請求項２記載の監視システム
【請求項１５】
前記機器が、
Ｗｅｂサーバ機能を有する監視カメラであることを特徴とする
請求項１若しくは請求項２記載の監視システム
【請求項１６】
前記機器が、
Ｗｅｂサーバ機能を有するマイクであることを特徴とする
請求項１若しくは請求項２記載の監視システム
【請求項１７】
前記機器が、
Ｗｅｂサーバ機能を有するセンサであることを特徴とする
請求項１若しくは請求項２記載の監視システム
【請求項１８】
前記機器が、
Ｗｅｂサーバ機能を有する記録計であることを特徴とする
請求項１若しくは請求項２記載の監視システム
【請求項１９】
前記機器が、
Ｗｅｂサーバ機能を有する指示計であることを特徴とする
請求項１若しくは請求項２記載の監視システム。
【発明の詳細な説明】
【０００１】
【発明の属する技術分野】
本発明は、監視区域における作業者の行動や機器の状態等の情報を監視する監視システムに関し、特にローカルサーバに障害が発生した場合であっても機器が収集した情報の記録を継続することが可能な監視システムに関する。
【０００２】
【従来の技術】
監視区域に設置された監視カメラが撮影した画像を適宜選択して監視室側のモニタ画面に表示させることにより監視を行い。併せて、前記画像を録画しておくことにより後日等に監視画像の確認等を行う従来の監視システムに関連する先行技術文献としては次のようなものがある。
【０００３】
【特許文献１】
特開平１１−１３４１４４号公報
【特許文献２】
特開２００２−１５８９９２号公報
【特許文献３】
特開２００２−１５８９９５号公報
【特許文献４】
特開２００３−０２３５９２号公報
【０００４】
図４はこのような従来の監視システムの一例を示す構成ブロック図であり、本願出願人の出願に係る「特開２００２−１５８９９５号公報」に記載されたものである。
【０００５】
図４において１，２，３及び４は監視区域５０に設置されたＷｅｂサーバ（Ｗｏｒｌｄ  Ｗｉｄｅ  Ｗｅｂサーバー）機能を有する監視カメラ、５は監視区域５０に設置されたＬＡＮ（Ｌｏｃａｌ  Ａｒｅａ  Ｎｅｔｗｏｒｋ）のケーブルを集中して接続する集線装置であるハブ、６は監視室５１に設置されたハブ、７は監視室５１に設置された監視端末、８は監視区域５０内に設けられＷｅｂサーバ機能を有するローカルサーバ、９はハードディスク等の記憶装置、１０は監視室５１に設けられたバックアップ装置、１００はＬＡＮ等のネットワークである。
【０００６】
監視カメラ１，２，３，及び４のネットワーク出力はハブ５にＬＡＮケーブル等により接続集線され、記憶装置９はローカルサーバ８に接続され、ローカルサーバ８のネットワーク出力はハブ５にＬＡＮケーブル等により接続される。
【０００７】
また、ハブ５はネットワーク１００を介して監視室５１側のハブ６に接続され、監視端末７及びバックアップ装置１０のネットワーク出力はＬＡＮケーブル等によりハブ６に接続される。
【０００８】
ここで、図４に示す従来例の動作を図５及び図６を用いて説明する。図５及び図６はローカルサーバ８の動作を説明するフロー図である。
【０００９】
監視室５１に設置された監視端末７の汎用ブラウザは個々の監視カメラではなく、ローカルサーバ８のＷｅｂサーバにネットワーク１００等を介してアクセスする。
【００１０】
ローカルサーバ８は自らが設置された監視区域内に設置された監視カメラの画像等の情報を集中管理すると共に、監視端末７（汎用ブラウザ）からのアクセスの有無に関わりなく、下記のような定常動作を行う。すなわち、図５中”Ｓ００１”においてローカルサーバ８は設定された取得周期であるか否かを判断する。
【００１１】
図５中”Ｓ００１”において設定周期であれば、図５中”Ｓ００２”においてローカルサーバ８はハブ５を介して監視区域５０に設置された監視カメラ１〜４のＷｅｂサーバにアクセスして各監視カメラ１〜４で撮影された画像を取得する。
【００１２】
そして、図５中”Ｓ００３”において各監視カメラ１〜４から取得した画像を記憶装置９に順次記録して蓄積する。
【００１３】
また、バックアップ装置１０は画像の長期間保存を行う。すなわち、ローカルサーバ８と並行して監視カメラから画像を取得し、テープやコンパクトディスク等の長期間の保存に適した記憶媒体に取得した画像を保存する。この場合、画像が２重化された管理され、バックアップ装置１０に障害が発生した場合にはローカルサーバ８に保存されているデータに基づきシステムの復旧が可能になる。
【００１４】
一方、ローカルサーバ５に対して監視端末７（汎用ブラウザ）からアクセスがあった場合、図６中”Ｓ１０１”においてローカルサーバ８は現在撮影されている画像の要求があったか否かを判断し、現在撮影されている画像の要求があった場合には、図６中”Ｓ１０２”において各監視カメラ１〜４から取得した画像を監視端末７（汎用ブラウザ）に送信する。
【００１５】
ここで、監視端末７（汎用ブラウザ）への情報の送信に際してローカルサーバ８はネットワーク１００に伝播するトラフィック量を把握して、必要に応じて送信するデータ量を制御して、ネットワーク１００のトラフィック量を制御する。
【００１６】
例えば、ローカルサーバ８からネットワーク１００へのトラフィック量を予め設定した閾値以内とする場合には、送信する画像の圧縮率を変えてデータのサイズを小さくしたり、若しくは、ローカルサーバ８に接続可能な汎用ブラウザの数（コネクション数）を制限することによりトラフィック量を制御する。
【００１７】
図６中”Ｓ１０３”においてローカルサーバ８は画像の再生要求があったか否かを判断し、画像の再生要求があった場合には、図６中”Ｓ１０４”において記憶装置９に蓄積されている画像を順次読み出し再生して監視端末７（汎用ブラウザ）に送信する。
【００１８】
最後に、図６中”Ｓ１０５”においてローカルサーバ８は各種設定の要求があったか否かを判断し、設定要求があった場合には、図６中”Ｓ１０６”において設定画面を監視端末７（汎用ブラウザ）に送信する。
【００１９】
また、図７はこのような従来の監視システムの他の一例を示す構成ブロック図である。図７において６，７及び１０は図４と同一符号を付してあり、１１はＩＳＤＮ（Ｉｎｔｅｇｒａｔｅｄ  Ｓｅｒｖｉｃｅｓ  Ｄｉｇｉｔａｌ  Ｎｅｔｗｏｒｋ）ルータ等の接続装置、１２はＩＳＤＮ回線、公衆回線やインターネット等のネットワーク網、１３は遠隔監視端末、５０ａ，５０ｂ及び５０ｃは図４と同様の構成の監視区域，５１ａは監視室、１００ａはネットワークである。
【００２０】
基本的な接続関係は図４に示す従来例とほぼ同様であり、異なる点は複数の監視区域５０ａ，５０ｂ及び５０ｃはネットワーク１００ａによりハブ６に接続され、遠隔監視端末１３がネットワーク網１２及び接続装置１１を介してハブ６に接続される点である。
【００２１】
ここで、図７に示す従来例の動作を説明する。但し、図４に示す従来例と重複する部分に説明は省略する。各監視区域５０ａ〜５０ｃ内に設けられたローカルサーバは各監視区域５０ａ〜５０ｃ内に設置された監視カメラを集中管理し、撮影された画像を各記憶装置でそれぞれ管理される。
【００２２】
監視端末７は各監視区域を構成単位として監視し、遠隔監視端末１３は遠隔地からネットワーク網１２を介して監視室５１ａ内に設けられたハブ６に接続し監視端末７と同様に各監視区域を構成単位として監視する。
【００２３】
この結果、監視区域５０の監視カメラを集中管理するローカルサーバ８を設けることにより、当該ローカルサーバ８においてネットワーク負荷を制御が可能になる。
【００２４】
また、監視カメラが撮影した画像をローカルサーバの記憶装置で分散管理することにより、汎用ブラウザが動作する程度の汎用コンピュータを用いて画像の確認や機器の設定操作が可能になる。また、記録媒体の交換作業等が不要で、録画中の再生も可能になる。
【００２５】
また、ローカルサーバが管理する監視区域を構成単位として監視することができ、設定変更等もネットワーク経由で可能であり、監視カメラやローカルサーバにおけるソフトウェアの変更に関連して監視端末側のソフトウェアの変更が不要になるので保守性が向上する。
【００２６】
【発明が解決しようとする課題】
しかし、図４及び図７に示す従来例ではローカルサーバの記録装置としてハードディスク等の２次記憶装置に記録されるものの、一般に２次記憶装置は有寿命の部品であり、長期連続運転においては安定性に問題がある。
【００２７】
このため、図４及び図７に示す従来例では、バックアップ装置を設けてローカルサーバと並行して監視カメラから画像を取得し、テープやコンパクトディスク等の長期間の保存に適した記憶媒体に取得した画像を保存している。
【００２８】
但し、このような構成であっても定期的な記憶媒体（テープ等）の交換作業等が必要になり運用上のコストが生じてしまうと言った問題点があった。
【００２９】
また、ローカルサーバに記憶装置を複数台設けミラーリング等の冗長化することにより、有寿命の問題を軽減できるものの、記憶装置のソフトウェア的及びハードウェア的な障害が発生した場合や、保守点検等に起因して動作が停止した場合には当該ローカルサーバが管理する監視区域の画像の記録を継続することができなくなってしまうと言った問題点があった。
従って本発明が解決しようとする課題は、ローカルサーバに障害が発生した場合であっても情報の記録を継続することが可能な監視システムを実現することにある。
【００３０】
【課題を解決するための手段】
このような課題を達成するために、本発明のうち請求項１記載の発明は、
監視区域を監視する監視システムにおいて、
前記監視区域内に設けられたＷｅｂサーバ機能を有する複数の機器と、前記監視区域内に設けられた記憶装置と、前記監視区域内に設けられ前記機器のＷｅｂサーバにアクセスして情報を取得すると共に前記情報を前記記憶装置に記録するＷｅｂサーバ機能を有するローカルサーバと、監視室に設けられ前記ローカルサーバのＷｅｂサーバに汎用ブラウザを用いてアクセスして前記情報若しくは前記記憶装置に記録された情報を取得する監視端末と、前記ローカルサーバの動作状況を確認して障害が発生していると判断した場合には前記ローカルサーバの記録処理の代行を行うＷｅｂサーバ機能を有する記録代行装置と、この記録代行装置に接続された第２の記憶装置とを備えたことにより、ローカルサーバに障害が発生した場合であっても情報の記録を継続することが可能になる。
【００３１】
請求項２記載の発明は、
監視区域を監視する監視システムにおいて、
前記監視区域内に設けられた固有のネットワークプロトコルで情報の交換を行う複数の機器と、前記監視区域内に設けられた記憶装置と、前記監視区域内に設けられ前記機器に前記ネットワークプロトコルでアクセスして情報を取得すると共に前記情報を前記記憶装置に記録するＷｅｂサーバ機能を有するローカルサーバと、監視室に設けられ前記ローカルサーバのＷｅｂサーバに汎用ブラウザを用いてアクセスして前記情報若しくは前記記憶装置に記録された情報を取得する監視端末と、前記ローカルサーバの動作状況を確認して障害が発生していると判断した場合には前記ローカルサーバの記録処理の代行を行うＷｅｂサーバ機能を有する記録代行装置と、この記録代行装置に接続された第２の記憶装置とを備えたことにより、ローカルサーバに障害が発生した場合であっても情報の記録を継続することが可能になる。
【００３２】
請求項３記載の発明は、
請求項１若しくは請求項２記載の発明である監視システムにおいて、
前記記録代行装置が、
前記ローカルサーバや前記監視端末の間で通信を行う通信手段と、前記ローカルサーバ及び前記記憶装置の動作を監視する動作監視手段と、この動作監視手段の制御に基づき前記機器から情報を収集して前記第２の記憶装置に記録する情報収集手段と、前記監視端末からの要求に基づき記録されている情報を配信するＷｅｂサーバ機能を有する情報配信手段とから構成されたことにより、ローカルサーバに障害が発生した場合であっても情報の記録を継続することが可能になる。
【００３３】
請求項４記載の発明は、
請求項１乃至請求項３のいずれかに記載の発明である監視システムにおいて、
前記記録代行装置若しくは前記動作監視手段が、
前記ローカルサーバの記録処理の代行の履歴を動作履歴として記録することにより、ローカルサーバに障害が発生した場合であっても情報の記録を継続することが可能になる。
【００３４】
請求項５記載の発明は、
請求項１乃至請求項３のいずれかに記載の発明である監視システムにおいて、
前記記録代行装置が、
前記ローカルサーバに障害が発生したと判断した場合に前記ローカルサーバが集中管理する複数の前記機器の全ての情報の記録処理を代行することにより、ローカルサーバに障害が発生した場合であっても情報の記録を継続することが可能になる。
【００３５】
請求項６記載の発明は、
請求項１乃至請求項３のいずれかに記載の発明である監視システムにおいて、
前記記録代行装置が、
前記ローカルサーバに障害が発生したと判断した場合に前記ローカルサーバが集中管理する複数の前記機器の内特定の機器の情報の記録処理を代行することにより、ローカルサーバに障害が発生した場合であっても情報の記録を継続することが可能になる。
【００３６】
請求項７記載の発明は、
請求項１乃至請求項３のいずれかに記載の発明である監視システムにおいて、
前記記録代行装置が、
立ち上げ時に前記ローカルサーバに問い合わせて前記機器の詳細設定情報を取得することにより、ローカルサーバに障害が発生した場合であっても情報の記録を継続することが可能になる。
【００３７】
請求項８記載の発明は、
請求項１乃至請求項３のいずれかに記載の発明である監視システムにおいて、
前記記録代行装置が、
定周期で前記ローカルサーバに問い合わせて前記機器の詳細設定情報を更新することにより、ローカルサーバに障害が発生した場合であっても情報の記録を継続することが可能になる。
【００３８】
請求項９記載の発明は、
請求項１乃至請求項３のいずれかに記載の発明である監視システムにおいて、
前記記録代行装置が、
前記ローカルサーバと同じ周期で前記機器から情報を収集することにより、ローカルサーバに障害が発生した場合であっても情報の記録を継続することが可能になる。
【００３９】
請求項１０記載の発明は、
請求項１乃至請求項３のいずれかに記載の発明である監視システムにおいて、
前記記録代行装置が、
前記ローカルサーバよりも遅い周期で前記機器から情報を収集することにより、ローカルサーバに障害が発生した場合であっても情報の記録を継続することが可能になる。
【００４０】
請求項１１記載の発明は、
請求項４記載の発明である監視システムにおいて、
前記監視端末が、
情報の要求を行う際に前記動作履歴を参照して、前期監視端末が必要とする情報が前記記録代行装置により前記ローカルサーバの記録処理を代行されたものであれば、前記記録代行装置に情報の要求を行うことにより、監視端末のオペレータはローカルサーバの動作状況を意識することなく画像再生等を行わせることができる。
【００４１】
請求項１２記載の発明は、
請求項３記載の発明である監視システムにおいて、
前記動作監視手段を前記記録代行装置から独立させ、前記動作監視手段が複数の記録代行装置を制御することにより、動作監視手段がローカルサーバの障害の発生を検出した場合に、記録処理を代行していない記録代行装置に記録処理の代行を行わせることにより、効率良く記録処理の代行を行わせることができる。
【００４２】
請求項１３記載の発明は、
請求項１若しくは請求項２記載の発明である監視システムにおいて、
前記ローカルサーバに前記記録代行装置の機能を持たせて２台のローカルサーバ間で相互監視をさせることにより、記録代行装置を省略することができる。
【００４３】
請求項１４記載の発明は、
請求項１若しくは請求項２記載の発明である監視システムにおいて、
前記ローカルサーバに管理されている監視区域を複数個有することにより、ローカルサーバに障害が発生した場合であっても情報の記録を継続することが可能になる。
【００４４】
請求項１５記載の発明は、
請求項１若しくは請求項２記載の発明である監視システムにおいて、
前記機器が、
Ｗｅｂサーバ機能を有する監視カメラであることにより、ローカルサーバに障害が発生した場合であっても情報の記録を継続することが可能になる。
【００４５】
請求項１６記載の発明は、
請求項１若しくは請求項２記載の発明である監視システムにおいて、
前記機器が、
Ｗｅｂサーバ機能を有するマイクであることにより、ローカルサーバに障害が発生した場合であっても情報の記録を継続することが可能になる。
【００４６】
請求項１７記載の発明は、
請求項１若しくは請求項２記載の発明である監視システムにおいて、
前記機器が、
Ｗｅｂサーバ機能を有するセンサであることにより、ローカルサーバに障害が発生した場合であっても情報の記録を継続することが可能になる。
【００４７】
請求項１８記載の発明は、
請求項１若しくは請求項２記載の発明である監視システムにおいて、
前記機器が、
Ｗｅｂサーバ機能を有する記録計であることにより、ローカルサーバに障害が発生した場合であっても情報の記録を継続することが可能になる。
【００４８】
請求項１９記載の発明は、
請求項１若しくは請求項２記載の発明である監視システムにおいて、
前記機器が、
Ｗｅｂサーバ機能を有する指示計であることにより、ローカルサーバに障害が発生した場合であっても情報の記録を継続することが可能になる。
【００４９】
【発明の実施の形態】
以下本発明を図面を用いて詳細に説明する。図１は本発明に係る監視システムの一実施例を示す構成ブロック図である。
【００５０】
図１において６，７，５０ａ，５０ｂ，５０ｃ及び１００ａは図７と同一符号を付してあり、１４は監視室５１ｂに設けられＷｅｂサーバ機能を有する記録代行装置、１５はハードディスク等の記憶装置である。
【００５１】
基本的な接続関係は図４に示す従来例とほぼ同様であり、異なる点は複数の監視区域５０ａ，５０ｂ及び５０ｃはネットワーク１００ａによりハブ６に接続され、監視室５１ｂに設置された記録代行装置１４がハブ６に接続され、記憶装置１５が記録代行装置１４に接続される点である。
【００５２】
ここで、図１に示す実施例の動作を図２及び図３を用いて説明する。図２は記録代行装置１４の詳細を示す構成ブロック図、図３は動作監視手段の動作を説明するフロー図である。
【００５３】
図２において１４及び１５は図１と同一符号を付してあり、１６はネットワーク１００ａを介して各監視区域のローカルサーバや監視端末７等の間で通信を行う通信手段、１７は各監視区域内のローカルサーバ及び記憶装置の動作を監視する動作監視手段、１８は各監視区域内に設置された監視カメラから画像（情報）を収集して記憶装置１５に記録する情報収集手段、１９はＷｅｂサーバ機能を有し監視端末７等からの要求に基づき記録されている画像（情報）を配信する情報配信手段である。
【００５４】
通信手段１６は図示しないネットワークに相互に接続され、動作監視手段１７、情報収集手段１８及び情報配信手段１９もまた通信手段１６に相互に接続される。動作監視手段１７の制御信号は情報収集手段１８の制御入力端子に接続され、情報収集手段１８の出力は記憶装置１５に接続される。また、記憶装置１５からの出力は情報配信手段１９に接続される。
【００５５】
図３中”Ｓ２０１”において動作監視手段１７は図２中”ＳＩ０１”に示すような設定情報を読み出し初期化を行う。この設定情報とは監視対象となるローカルサーバのネットワークアドレス、当該ローカルサーバにおける障害発生時の記録代行対象となる監視カメラのネットワークアドレス等の情報である。
【００５６】
図３中”Ｓ２０２”において動作監視手段１７は通信手段１６を介して監視区域５０ａ、５０ｂ及び５０ｃに設置された各ローカルサーバに問い合わせを行い、当該ローカルサーバの動作状況を確認する。
【００５７】
この時，監視区域５０ａ、５０ｂ及び５０ｃに設置された各ローカルサーバは動作監視手段１７からの問い合わせに関して、画像の記録状態、記録装置の空き容量や記憶装置の動作／停止等の動作状況を返答する。
【００５８】
図３中”Ｓ２０３”において動作監視手段１７はある特定のローカルサーバに障害が発生したか否かを判断し、もし、特定のローカルサーバに障害が発生したと判断した場合は、図３中”Ｓ２０４”において動作監視手段１７は情報収集手段１８を制御して障害が発生したローカルサーバの記録処理の代行を開始させると共に記録処理の代行を開始させた旨の情報を図２中”ＯＬ０１”に示す動作履歴に記録して図３中”Ｓ２０２”のステップに戻る。
【００５９】
例えば、動作監視手段１７が監視区域５０ｂに設置されたローカルサーバに障害が発生したと判断した場合には、動作監視手段１７は情報収集手段１８を制御して監視区域５０ｂ内に設置された監視カメラ（正確には、設定情報において記録代行対象として指定されている監視カメラ）から画像を収集させて記憶装置１５に順次記録させることにより、記録処理の代行を開始させると共に記録処理の代行を開始させた旨の情報を図２中”ＯＬ０１”に示す動作履歴に記録する。
【００６０】
もし、図３中”Ｓ２０３”において動作監視手段１７が全てのローカルサーバにおいて障害が発生しなかったと判断した場合は、図３中”Ｓ２０５”において障害が復旧したローカルサーバが存在するか否かを判断する。
【００６１】
もし、図３中”Ｓ２０５”において障害が復旧したローカルサーバが存在すると判断した場合には、図３中”Ｓ２０６”において動作監視手段１７は情報収集手段１８を制御して障害が復旧したローカルサーバの記録処理の代行を停止させると共に記録処理の代行を停止させた旨の情報を図２中”ＯＬ０１”に示す動作履歴に記録して図３中”Ｓ２０２”のステップに戻る。
【００６２】
例えば、動作監視手段１７が監視区域５０ｂに設置されたローカルサーバに障害が復旧したと判断した場合には、動作監視手段１７は情報収集手段１８を制御して監視区域５０ｂ内に設置された監視カメラ（正確には、設定情報において記録代行対象として指定されている監視カメラ）からの画像収集を終了させることにより、記録処理の代行を停止させると共に記録処理の代行を停止させた旨の情報を図２中”ＯＬ０１”に示す動作履歴に記録する。
【００６３】
一方、情報配信手段１９は通信手段１６を介して監視端末７等からの画像再生表示時の要求があった場合には、記憶装置１５に記録されている画像を順次読み出して監視端末７等に再生しながら送信する。
【００６４】
この結果、記録代行装置がローカルサーバの動作状況を確認して障害が発生していると判断した場合には当該ローカルサーバの記録処理の代行を行うことにより、ローカルサーバに障害が発生した場合であっても情報の記録を継続することが可能になる。
【００６５】
なお、図１に示す実施例においては説明の簡単のために、記録代行装置１４及びそれに接続される記憶装置１５を監視室５１ｂに設置している事例を例示しているが、勿論、ＬＡＮ、ＷＡＮ（Ｗｉｄｅ  Ａｒｅａ  Ｎｅｔｗｏｒｋ）、インターネットやイントラネット等の汎用のネットワークを介して各監視区域に設置されたローカルサーバや監視室に設置された監視端末等にアクセスできればどこに設置されていても構わない。
【００６６】
また、図３に示すフロー図の説明に際しては、設定情報とは監視対象となるローカルサーバのネットワークアドレス、当該ローカルサーバにおける障害発生時の記録代行対象となる監視カメラのネットワークアドレス等の情報である旨記載されているが、監視カメラの指定に関しては障害が発生したローカルサーバが集中管理する全ての監視カメラを指定しても勿論構わない。
【００６７】
その場合、記録代行装置はローカルサーバ上の背低ファイルの内容に基づいて全ての監視カメラの画像を収集する。
【００６８】
また、障害が発生したローカルサーバが集中管理する全ての監視カメラではなく、重要性の高い特定の監視カメラに限定して指定しても勿論構わない。
【００６９】
また、監視カメラのネットワークアドレス以外の詳細設定情報に関しては、図２中”ＳＩ０１”に示す設定情報に記載しておいても良いし、或いは、記録代行装置１４の立ち上げ時に各ローカルサーバに問い合わせることによって取得しても構わない。
【００７０】
また、前述の詳細設定情報を各ローカルサーバに問い合わせて取得する場合には、記録代行装置１４の立ち上げ時のみならず、定周期で各ローカルサーバに問い合わせて詳細設定情報を更新していっても構わない。
【００７１】
また、記録代行装置１４が各監視区域に設置された監視カメラから画像を収集する周期としては、当該監視カメラを集中管理するローカルサーバと同一の収集周期であっても、前記ローカルサーバの収集周期よりも遅い周期であっても構わない。
【００７２】
後者の場合には、１つの記録代行装置１４で障害の発生した複数のローカルサーバに対する記録処理の代行を行うことが可能になる。
【００７３】
また、監視端末７は、画像の再生要求をローカルサーバに行う際に、記録代行装置１４の動作履歴を参照して、記録代行装置１４が当該ローカルサーバの記録処理を代行中であれば、当該ローカルサーバではなく記録代行装置１４に画像の再生要求を行うことにより、監視端末７のオペレータはローカルサーバの動作状況を意識することなく画像再生を行わせることができる。
【００７４】
また、記録代行装置１４から動作監視手段１７を独立させて、１つの動作監視手段で複数の記録代行装置を制御しても構わない。この場合には、動作監視手段がローカルサーバの障害の発生を検出した場合に、記録処理を代行していない記録代行装置に記録処理の代行を行わせることにより、効率良く記録処理の代行を行わせることができる。
【００７５】
また、ローカルサーバに記録代行装置の機能を持たせて、２台のローカルサーバ間で相互監視をさせることにより、記録代行装置を省略しても構わない。この場合には、記録処理の代行動作時に記憶装置の能力を超過してしまうことを防止するため、代行動作時には記録する画像の情報量を１／２にすることにより記憶装置の能力超過を防止する。
【００７６】
また、図１等に示す実施例では監視区域に設けられたＷｅｂサーバ機能を有する監視カメラをローカルサーバで集中管理しているが、Ｗｅｂサーバ機能を有するその他の機器、例えば、Ｗｅｂ機能を有するマイク、Ｗｅｂ機能を有する温度センサや気圧センサ等のセンサ類、Ｗｅｂ機能を有する記録計、Ｗｅｂ機能を有する指示計、Ｗｅｂ機能を有するシーケンサや調節計等の制御装置等をローカルサーバで集中管理しても構わない。
【００７７】
Ｗｅｂサーバ機能を有しない上述のような機器であってもＷｅｂサーバ機能を有する汎用のコンピュータに接続しておき、これらの汎用コンピュータをローカルサーバで集中管理しても構わない。
【００７８】
Ｗｅｂサーバ機能を有しない上述のような機器であっても各機器が固有のネットワークプロトコルでローカルサーバとの間で情報の交換を行っても構わない。
【００７９】
また、Ｗｅｂサーバ機能を有する様々な機器を組合わせて監視区域を構成し、ローカルサーバにより集中管理しても構わない。
【００８０】
また、図１等に示す実施例では記憶装置には画像を情報として記録しているが、Ｗｅｂ機能を有するマイクであれば音声を情報として、Ｗｅｂ機能を有するセンサであれば検出した値等を情報として、Ｗｅｂ機能を有する記録計であれば記録内容を情報として、Ｗｅｂ機能を有する指示計であれば指示値を情報としてそれぞれ記憶装置に記録しても構わない。
【００８１】
また、本発明は図１等に示す実施例のような単純な監視システムのみならず、商店街監視システム、外食産業やドラックストア店舗の監視システム、宅配便配送業務監視システム、気象観測監視システム及び園児監視システム等の各種監視システムに適用が可能である。
【００８２】
【発明の効果】
以上説明したことから明らかなように、本発明によれば次のような効果がある。
請求項１，２，３，４，５，６，７，８，９，１０，１４，１５，１６，１７，１８及び請求項１９の発明によれば、記録代行装置がローカルサーバの動作状況を確認して障害が発生していると判断した場合には当該ローカルサーバの記録処理の代行を行うことにより、ローカルサーバに障害が発生した場合であっても情報の記録を継続することが可能になる。
【００８３】
また、請求項１１の発明によれば、監視端末は、画像の再生要求をローカルサーバに行う際に、記録代行装置の動作履歴を参照して、記録代行装置が当該ローカルサーバの記録処理を代行中であれば、当該ローカルサーバではなく記録代行装置に画像の再生要求を行うことにより、監視端末のオペレータはローカルサーバの動作状況を意識することなく画像再生を行わせることができる。
【００８４】
また、請求項１２の発明によれば、記録代行装置から動作監視手段を独立させて、１つの動作監視手段で複数の記録代行装置を制御することにより、動作監視手段がローカルサーバの障害の発生を検出した場合に、記録処理を代行していない記録代行装置に記録処理の代行を行わせることにより、効率良く記録処理の代行を行わせることができる。
【００８５】
また、請求項１３の発明によれば、ローカルサーバに記録代行装置の機能を持たせて、２台のローカルサーバ間で相互監視をさせることにより、記録代行装置を省略することができる。
【図面の簡単な説明】
【図１】本発明に係る監視システムの一実施例を示す構成ブロック図である。
【図２】記録代行装置の詳細を示す構成ブロック図である。
【図３】動作監視手段の動作を説明するフロー図である。
【図４】従来の監視システムの一例を示す構成ブロック図である。
【図５】ローカルサーバの動作を説明するフロー図である。
【図６】ローカルサーバの動作を説明するフロー図である。
【図７】従来の監視システムの他の一例を示す構成ブロック図である。
【符号の説明】
１，２，３，４  監視カメラ
５，６  ハブ
７  監視端末
８  ローカルサーバ
９，１５  記憶装置
１０  バックアップ装置
１１  接続装置
１２  ネットワーク網
１３  遠隔監視端末
１４  記録代行装置
１６  通信手段
１７  動作監視手段
１８  情報収集手段
１９  情報配信手段
５０，５０ａ，５０ｂ，５０ｃ  監視区域
５１，５１ａ，５１ｂ  監視室
１００，１００ａ  ネットワーク
【図１】
2004312212.tif 000003
【図２】
2004312212.tif 000004
【図３】
2004312212.tif 000005
【図４】
2004312212.tif 000006
【図５】
2004312212.tif 000007
【図６】
2004312212.tif 000008
【図７】
2004312212.tif 000009